(57)【特許請求の範囲】
【請求項１】
マンコンベアの機器を機械室から搬出する場合に、前記機器が前記機械室よりも上方に移動されるまで、前記機器に鉛直上向きの荷重をかける鉛直荷重発生装置と、
前記機器に連結され、前記機器の鉛直方向の移動に追従して、鉛直方向に伸縮し、
前記機器が前記機械室よりも上方に移動された場合に、前記機器を回転支持し、前記機械室外側へ水平方向に案内するガイド材と、
を備えたことを特徴とするマンコンベアの機器搬出支援装置。
【請求項２】
マンコンベアの機器を機械室から搬出する場合に、前記機器が前記機械室よりも上方に移動されるまで、前記機器に鉛直上向きの荷重をかける鉛直荷重発生装置、
を備え、
前記鉛直荷重発生装置は、
前記機器を支持した支持台と、
前記支持台に、一端側が連結されたロープと、
前記ロープが巻き掛けられた滑車と、
前記ロープの他端側に連結され、自重により、前記ロープの他端側に、鉛直下向きの荷重をかけた錘と、
通常時は、前記錘の下方への移動を規制し、要時は、前記移動の規制を解放するストッパと、
を備えたことを特徴とするマンコンベアの機器搬出支援装置。
【請求項３】
前記荷重は、前記機器の重量以下の値からなることを特徴とする請求項１又は請求項２に記載のマンコンベアの機器搬出支援装置。
【請求項４】
前記荷重は、前記機器の重量から０ｋｇ重以上３０ｋｇ重以下の任意の値を差し引いた値からなることを特徴とする請求項３記載のマンコンベアの機器搬出支援装置。
【請求項５】
前記鉛直荷重発生装置は、前記機械室内に設けられ、乗降口床面に、上方から遮蔽されていることを特徴とする請求項１〜請求項４のいずれかに記載のマンコンベアの機器搬出支援装置。
【請求項６】
前記鉛直荷重発生装置は、前記機械室内に着脱自在に設けられたことを特徴とする請求項５記載のマンコンベアの機器搬出支援装置。
【発明の詳細な説明】
【技術分野】
【０００１】
この発明は、マンコンベアの機械室内に設けられている制御盤等の機器を搬出するマンコンベアの機器搬出支援装置に関するものである。
【背景技術】
【０００２】
マンコンベアにおいては、制御盤は、上部機械室に設けられることが多い。かかる制御盤には、運転速度の制御を行うためにインバータ、コンバータ、リアクトル、回生抵抗等が追加されることがある。かかるインバータ等は、保守作業のスペースを圧迫する。また、制御盤は、重量物である。このため、保守の度に、制御盤を機械室から搬出することは、作業時間の増加に繋がる。
【０００３】
そこで、機械室内から制御盤を上昇させるものが提案されている。これにより、制御盤の搬出の容易化が図られる（例えば、特許文献１参照）。
【０００４】
【特許文献１】特開平１１−４９４６７号公報
【発明の開示】
【発明が解決しようとする課題】
【０００５】
しかし、特許文献１記載のものは、制御盤を完全に機械室上方まで荷重をかけて搬出することができないものであった。このため、制御盤を機械室外に搬出する場合は、さらに、複数の作業員で持ち上げる必要があり、作業性に問題があった。
【０００６】
この発明は、上述のような課題を解決するためになされたもので、その目的は、マンコンベアの機器を機械室から搬出する際の作業性を向上するマンコンベアの機器搬出支援装置を提供することである。
【課題を解決するための手段】
【０００７】
この発明に係るマンコンベアの機器搬出支援装置は、マンコンベアの機器を機械室から搬出する場合に、前記機器が前記機械室よりも上方に移動されるまで、前記機器に鉛直上向きの荷重をかける鉛直荷重発生装置と、前記機器に連結され、前記機器の鉛直方向の移動に追従して、鉛直方向に伸縮し、前記機器が前記機械室よりも上方に移動された場合に、前記機器を回転支持し、前記機械室外側へ水平方向に案内するガイド材と、を備えたものである。
この発明に係るマンコンベアの機器搬出支援装置は、マンコンベアの機器を機械室から搬出する場合に、前記機器が前記機械室よりも上方に移動されるまで、前記機器に鉛直上向きの荷重をかける鉛直荷重発生装置、を備え、前記鉛直荷重発生装置は、前記機器を支持した支持台と、前記支持台に、一端側が連結されたロープと、前記ロープが巻き掛けられた滑車と、前記ロープの他端側に連結され、自重により、前記ロープの他端側に、鉛直下向きの荷重をかけた錘と、通常時は、前記錘の下方への移動を規制し、要時は、前記移動の規制を解放するストッパと、を備えたものである。
【発明の効果】
【０００８】
この発明によれば、マンコンベアの機器を機械室から搬出する際の作業性を向上することができる。
【発明を実施するための最良の形態】
【０００９】
この発明を実施するための最良の形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における機器搬出支援装置が利用されるマンコンベア全体を示す縦断側面図である。図２は図１の上部機械室を示す拡大図である。
【００１１】
図１において、１はマンコンベアのトラスである。このトラス１は、建築物の隣接階に跨って設けられる。２ａは上部機械室である。２ｂは下部機械室である。これらの機械室２ａ等の上面には、それぞれ開口部（図示せず）が設けられる。これらの開口部には、マンコンベアの乗降口床面（図示せず）が開閉自在に設けられる。そして、これらの開口部の下方の機械室２ａ等には、それぞれ、マンコンベアの機器３が設けられる。より具体的には、機器３は、制御盤等の重量物である。これらの機器３により、マンコンベアの動作、制御が行われる。また、機械室２ａ等内には、機器搬出支援装置（図１においては、図示せず）が設けられる。この機器搬出支援装置は、乗降口床面に、上方から遮蔽されている。
【００１２】
次に、図２を用いて、機器搬出支援装置の詳細を説明する。
図２に示すように、機器搬出支援装置は、鉛直荷重発生装置４を備える。鉛直荷重発生装置４は、支持台５、ロープ６、滑車７、止め具８、駆動部９からなる。なお、ロープ６は、チェーンであっても構わない。支持台５は、機器３を下方から支持する。ロープ６は、一端が支持台５に連結される。滑車７は、ロープ６が巻き掛けられる。止め具８は、ロープ６の他端が連結される。そして、止め具８は、機械室２ａ等の底面に固定される。
【００１３】
駆動部９は、下方から滑車７を支持する。具体的には、駆動部９は、ガスシリンダ、オイルダンパ等からなる。即ち、駆動部９は、滑車７に鉛直上向きの荷重をかけるものである。この駆動部９には、支持台５、ロープ６、滑車７を介して、機器３から鉛直下向きの荷重を受ける。かかる荷重により、駆動部９は、鉛直方向上向きの反力を発生する。かかる反力により、駆動部９は、機器３を機械室２ａ等から搬出する場合に、機器３が機械室２ａ等よりも上方に移動されるまで、機器３に鉛直上向きの荷重をかける。なお、駆動部９が発生させる荷重は、機器３の重量以下の値からなる。より具体的には、当該荷重は、機器３の重量から０ｋｇ重以上３０ｋｇ重以下の任意の値を差し引いた値からなる。
【００１４】
次に、保守時に、機器３を機械室２ａ等から搬出する方法を説明する。
まず、機械室２ａ等の開口部から、床面が取り外される。その後、作業員が、機器３を引き上げる。このとき、駆動部９は、機器３が機械室２ａ等よりも上方に移動されるまで、機器３に鉛直上向きの荷重をかけている。そして、機械室２ａ等外まで上昇された機器３は、作業員により、所定の作業場所まで、搬出される。
【００１５】
以上で説明した実施の形態１によれば、駆動部９は、機器３が機械室２ａ等よりも上方に移動されるまで、機器３に鉛直上向きの荷重をかけている。このため、容易に、機器３を機械室２ａ等の外へ搬出できる。また、当該荷重は、機器３の重量以下の値からなる。このため、機器３の上昇防止のためのストッパ等を設ける必要がない。
【００１６】
さらに、当該荷重は、機器３の重量から０ｋｇ重以上３０ｋｇ重以下の任意の値を差し引いた値からなる。一人の作業員でも、機器３を機械室２ａ等より上方に移動させることができる。即ち、機器３の搬出時における作業性が向上する。このため、機械室２ａ等内に機器３の保守作業スペースを別に確保する必要がない。即ち、機械室２ａ等の小型化、ひいては、マンコンベア全体の小型化が可能となる。
【００１７】
加えて、駆動部９は、乗降口床面に、上方から遮蔽される。このため、乗降口床面を取り外すだけで、機器３の搬出ができる。即ち、短時間での機器３の搬出が可能となる。また、駆動部９は、機械室２ａ等内に着脱自在に設けられる。このため、上部機械室２ａ及び下部機械室２ｂにそれぞれ機器搬出支援装置を設置する必要がない。即ち、要時にのみ、機器搬出支援装置を機械室２ａ等に取り付ければよい。このため、機器搬出支援装置の費用を抑えることができる。
【００１８】
実施の形態２．
図３はこの発明の実施の形態２における機器搬出支援装置が利用される上部機械室の正面図である。図４はこの発明の実施の形態２における機器搬出支援装置が利用される上部機械室の平面図である。なお、実施の形態１と同一又は相当部分には同一符号を付して説明を省略する。
【００１９】
実施の形態２における機器搬出支援装置の主な特徴は、実施の形態１における機器搬出支援装置に固定ブラケット１０及びガイドレール１１を付加した点である。図において、固定ブラケット１０は、駆動部９を機械室２ａ等に対して着脱自在に固定する。また、ガイドレール１１は、少なくとも一本からなる。そして、ガイドレール１１は、機器３を鉛直方向に案内する。なお、止め具８は、固定ブラケット１０に固定される。
【００２０】
以上で説明した実施の形態２によれば、ガイドレール１１が機器３を鉛直方向に案内する。このため、機器３は、鉛直方向に円滑に移動される。即ち、機器３の搬出が容易になる。
【００２１】
実施の形態３．
図５はこの発明の実施の形態３における機器搬出支援装置が利用される上部機械室の縦断側面図である。なお、実施の形態１と同一又は相当部分には同一符号を付して説明を省略する。
【００２２】
実施の形態３における機器搬出支援装置は、実施の形態１における機器搬出支援装置に、ガイド材１２を付加したものである。このガイド材１２は、機器３に連結され、機器３の鉛直方向の移動に追従して、鉛直方向に伸縮するものである。即ち、ガイド部材１２は、通常、機械室２ａ等内に収まる高さとなっている。
【００２３】
以上で説明した実施の形態３によれば、機器３が機械室２ａ等よりも上方に移動された場合でも、ガイド材１２により、水平方向の移動が規制される。このため、より安定して、機器３を機械室２ａ等よりも上方へ移動できる。
【００２４】
実施の形態４．
図６はこの発明の実施の形態４における機器搬出支援装置が利用される上部機械室の縦断側面図である。なお、実施の形態３と同一又は相当部分には同一符号を付して説明を省略する。
【００２５】
実施の形態４における機器搬出支援装置は、実施の形態３における機器搬出支援装置と略同様である。ただし、実施の形態４におけるガイド材１２は、機器３が機械室２ａ等よりも上方に移動された場合に、機器３を回転支持する。そして、ガイド材１２は、機器３を機械室２ａ等外側へ水平方向に案内する。これにより、機器３は、近傍の床面に移動される。  
【００２６】
以上で説明した実施の形態４によれば、機器３を機械室２ａ等上方から機械室２ａ等外側へ水平方向に移動させる場合も、作業性が向上する。なお、ガイド材１２は、支持台５
のみを支持する構成としてもよい。即ち、機器３を、支持台５及びガイド材１２とは完全に分離させることで、より作業性が向上する。
【００２７】
実施の形態５．
図７はこの発明の実施の形態５における機器搬出支援装置が利用される上部機械室の縦断側面図であって、機器が機械室よりも上方に移動された状態を示す図である。図８は図７相当図であって、機器が機械室内に配置されている状態を示す図である。なお、実施の形態１と同一又は相当部分には同一符号を付して説明を省略する。
【００２８】
実施の形態５においては、実施の形態１〜実施の形態４と鉛直荷重発生装置４の機構が異なるものである。以下、実施の形態５における鉛直荷重発生装置４を説明する。
【００２９】
鉛直荷重発生装置４は、支持台１３、ロープ１４、第１滑車１５、止め具１６、第２滑車１７、錘１８、ストッパ１９からなる。支持台１３は、機器３を下方から支持する。ロープ１４は、一端が支持台１３に連結される。第１滑車１５は、ロープ１４が巻き掛けられる。止め具１６は、ロープ１４の他端が連結される。そして、止め具１６は、機械室２ａ等の上面に固定される。
【００３０】
第２滑車１７は、ロープ１４の他端側に吊り下げられる。錘１８は、第２滑車１７に吊り下げられる。この錘１８は、自重により、ロープ１４の他端側に、鉛直下向きの荷重をかける。ストッパ１９は、錘１８の下方に設けられる。そして、ストッパ１９は、通常時、錘１８の下方への移動を規制する。一方、ストッパ１９は、要時に、当該移動の規制を解放する。
【００３１】
かかる構成の機器搬出支援装置においては、通常時、錘１８は、機械室２ａ上方に配置される。そして、要時に、錘１８の移動の規制が解放される。かかる状態で、作業員が、機器３を機械室２ａ等よりも上方に移動する。
【００３２】
以上で説明した実施の形態５によれば、ガスシリンダ等の倒れ留めが不要となり、機器搬出支援装置の簡素化が図られる。
【図面の簡単な説明】
【００３３】
【図１】この発明の実施の形態１における機器搬出支援装置が利用されるマンコンベア全体を示す縦断側面図である。
【図２】図１の上部機械室を示す拡大図である。
【図３】この発明の実施の形態２における機器搬出支援装置が利用される上部機械室の正面図である。
【図４】この発明の実施の形態２における機器搬出支援装置が利用される上部機械室の平面図である。
【図５】この発明の実施の形態３における機器搬出支援装置が利用される上部機械室の縦断側面図である。
【図６】この発明の実施の形態４における機器搬出支援装置が利用される上部機械室の縦断側面図である。
【図７】この発明の実施の形態５における機器搬出支援装置が利用される上部機械室の縦断側面図であって、機器が機械室よりも上方に移動された状態を示す図である。
【図８】図７相当図であって、機器が機械室内に配置されている状態を示す図である。
【符号の説明】
【００３４】
１  トラス、  ２ａ  上部機械室、  ２ｂ  下部機械室、  ３  機器、
４  鉛直荷重発生装置、  ５  支持台、  ６  ロープ、  ７  滑車、  ８  止め具、
９  駆動部、  １０  固定ブラケット、  １１  ガイドレール、  １２  ガイド材、
１３  支持台、  １４  ロープ、  １５  第１滑車、  １６  止め具、  
１７  第２滑車、  １８  錘、  １９  ストッパ
【図１】
0005120048.tif 000002
【図２】
0005120048.tif 000003
【図３】
0005120048.tif 000004
【図４】
0005120048.tif 000005
【図５】
0005120048.tif 000006
【図６】
0005120048.tif 000007
【図７】
0005120048.tif 000008
【図８】
0005120048.tif 000009